(57)【特許請求の範囲】
【請求項１】
ＦＰＣ／ＦＦＣと基板とを導通させる複数のコンタクトを有するインシュレータと；
このインシュレータに、ロック位置とアンロック位置との間を回転操作自在に支持され、ロック位置においてＦＰＣ／ＦＦＣとコンタクト群とに接触圧力を与える押圧突起が形成されたアクチュエータと；
を有し、
上記アクチュエータの回転軸位置と、該アクチュエータがロック位置に回動したときの上記押圧突起とＦＰＣ／ＦＦＣとの接触位置とを、該ロック位置においてアクチュエータがコンタクト群の弾性によりロック方向に回動付勢されるように定めた、または少なくとも該アクチュエータがアンロック方向の回動付勢力を受けないように定めたことを特徴とするＦＰＣ／ＦＣＣ用コネクタ。
【請求項２】
請求項１記載のコネクタにおいて、アクチュエータは、インシュレータに回動自在に支持される回転軸部を有する両端回転基部と、この両端回転基部間を接続するＦＰＣ／ＦＣＣ押圧部と、このＦＰＣ／ＦＣＣ押圧部と平行をなす着力操作部とを備えており、ＦＰＣ／ＦＣＣ押圧部を介してコンタクト群による回動付勢力を受けるＦＰＣ／ＦＣＣ用コネクタ。
【請求項３】
請求項２記載のコネクタにおいて、ＦＰＣ／ＦＣＣは、アクチュエータのＦＰＣ／ＦＣＣ押圧部と着力操作部の間を通してインシュレータに挿入されるＦＰＣ／ＦＣＣ用コネクタ。
【請求項４】
請求項２または３記載のコネクタにおいて、アクチュエータのＦＰＣ／ＦＣＣ押圧部とコンタクト群の押圧接触部は、基板側からこの順番に並んでいて、その間にＦＰＣ／ＦＣＣが挿脱されるＦＰＣ／ＦＣＣ用コネクタ。
【発明の詳細な説明】
【０００１】
【技術分野】
本発明は、フレキシブルプリント回路基板（ＦＰＣ）やフレキシブルフラットケーブル（ＦＦＣ）と基板とを接続する際に用いるコネクタに関する。
【０００２】
【従来技術およびその問題点】
ＦＰＣ／ＦＦＣ用コネクタは、インシュレータに、ＦＰＣ／ＦＦＣと基板とを導通させる複数のコンタクトを支持し、このコンタクト群とインシュレータに挿入されたＦＰＣ／ＦＦＣとを、アクチュエータ（スライダ）によって接触させている（接触圧力を得ている）。アクチュエータには、スライドタイプと回動タイプが知られているが、スライドタイプは、軽薄短小化の進むコネクタでは挿脱作業が困難性を増す。
【０００３】
【発明の目的】
本発明は、回動タイプのアクチュエータを有するＦＰＣ／ＦＦＣ用コネクタにおいて、ロック位置に回動させたアクチュエータが不用意にアンロック位置に回動することのない、信頼性及び操作性に優れたＦＰＣ／ＦＦＣ用コネクタを得ることを目的とする。
また、本発明は、コンタクト群よりＦＰＣ／ＦＦＣが基板側に位置する上接点タイプに適用できる低背化に有利なＦＰＣ／ＦＦＣ用コネクタを得ることを目的とする。
【０００４】
【発明の概要】
本発明は、アクチュエータをロック位置に回動させたとき、該アクチュエータがコンタクト群の弾性によりロック方向に回動付勢され、または少なくとも該アクチュエータがアンロック方向の回動付勢力を受けないように、アクチュエータの回転軸位置とアクチュエータがロック位置に回動したときのＦＰＣ／ＦＦＣとの接触位置とを定めれば、信頼性及び操作性に優れたＦＰＣ／ＦＦＣ用コネクタが得られるという着眼に基づいてなされたものである。
【０００５】
すなわち本発明は、ＦＰＣ／ＦＦＣと基板とを導通させる複数のコンタクトを有するインシュレータと；このインシュレータに、ロック位置とアンロック位置との間を回転操作自在に支持され、ロック位置においてＦＰＣ／ＦＦＣとコンタクト群とに接触圧力を与える押圧突起が形成されたアクチュエータと；を有し、上記アクチュエータの回転軸位置と、該アクチュエータがロック位置に回動したときの上記押圧突起とＦＰＣ／ＦＦＣとの接触位置とを、該ロック位置においてアクチュエータがコンタクト群の弾性によりロック方向に回動付勢されるように定めた、または少なくとも該アクチュエータがアンロック方向の回動付勢力を受けないように定めたことを特徴としている。
【０００６】
アクチュエータには、インシュレータに回動自在に支持される回転軸部を有する両端回転基部と、この両端回転基部間を接続するＦＰＣ／ＦＣＣ押圧部と、このＦＰＣ／ＦＣＣ押圧部と平行をなす着力操作部とを設け、ＦＰＣ／ＦＣＣ押圧部を介してコンタクト群による回動付勢力を受けることが好ましい。そして、ＦＰＣ／ＦＣＣは、アクチュエータのこのＦＰＣ／ＦＣＣ押圧部と着力操作部の間を通してインシュレータに挿入する。アクチュエータのＦＰＣ／ＦＣＣ押圧部とコンタクト群の押圧接触部は、基板側からこの順番に並ぶように設け、その間にＦＰＣ／ＦＣＣを挿脱させることにより、低背化に有利な上接点タイプを得ることができる。
【０００７】
【発明の実施形態】
絶縁材料製のインシュレータ１０は、全体として略扁平な直方体状をなしており、多数のコンタクト収納溝１１が所定間隔で整列させて形成されている。インシュレータ１０にはまた、このコンタクト収納溝１１の整列方向の両端部に位置させて、該整列方向に向く一対の回動支点壁１２が突出形成されている。コンタクト収納溝１１は、基板Ｂに対向する下面が開放されており、その上部には、コンタクト圧入溝１１ａと、コンタクト変形（露出）溝１１ｂが形成されている。コンタクト変形溝１１ｂの回動支点壁１２側の端部は、接続補強壁１３によって接続されている。
【０００８】
各コンタクト収納溝１１にはコンタクト２０が挿入支持されている。コンタクト２０は、基板Ｂ上のランドＬに半田付けされる半田付け脚２０ａと、コンタクト圧入溝１１ａに圧入される圧入脚２０ｂと、コンタクト変形溝１１ｂ内に位置する弾性変形脚２０ｃとを有しており、弾性変形脚２０ｃの先端部には基板Ｂ側に突出する押圧接触部２０ｄが形成されている。この押圧接触部２０ｄは、コンタクト２０のＦＰＣ３０との接触位置である。すべてのコンタクト２０（コンタクト収納溝１１）は一列に整列しており、多数の押圧接触部２０ｄも一直線上に位置している。押圧接触部２０ｄは、ＦＰＣ／ＦＦＣ（以下単にＦＰＣ）３０の対応するランドに接触するもので、ＦＰＣ３０により押圧接触部２０ｄが押圧されると、弾性変形脚２０ｃは弾性変形し、接触圧力が生じる。３１はＦＰＣ３０の裏打ち板である。
【０００９】
対をなす回動支点壁１２には、同一軸線上に位置する回動軸穴１４がそれぞれ形成されている。この回動軸穴１４に回動操作可能に支持されるアクチュエータ４０は、一対の回動支点壁１２の内側に沿う一対の両端回転基部４１と、この両端回転基部４１間を接続するＦＰＣ／ＦＦＣ押圧部（以下単にＦＰＣ押圧部）４２と、このＦＰＣ押圧部４２と平行をなす着力操作部４３とを備えており、両端回転基部４１に、回動支点壁１２の回動軸穴１４に回動自在に挿入される回動軸突起４４が一体に突出形成されている。従ってアクチュエータ４０は、回動軸穴１４（回動軸突起４４）を中心に回動可能であり、図３、図４に示すアンロック位置と、図２、図５に示すロック位置との間を回動操作される。
【００１０】
アクチュエータ４０のＦＰＣ押圧部４２と着力操作部４３の間に形成されている空間は、ＦＰＣ／ＦＦＣ挿入空間（以下ＦＰＣ挿入空間）４５を構成している。ＦＰＣ押圧部４２は、アクチュエータ４０がアンロック位置に位置するときにコンタクト２０の弾性変形脚２０ｃと略平行をなす挿入ガイド面４２ａと、アクチュエータ４０がロック位置に位置するときに、ＦＰＣ３０を押し弾性変形脚２０ｃ（押圧接触部２０ｄ）を弾性変形させる押圧突起４２ｂとを備えている。ＦＰＣ挿入空間４５は、インシュレータ１０の接続補強壁１３の逃げ部としても作用する。図６は、アクチュエータ４０の単体形状を示している。
【００１１】
アクチュエータ４０の回動軸突起４４の位置と、コンタクト２０の押圧接触部２０ｄの位置は、アクチュエータ４０を図２、図５のロック位置に回動させたとき、弾性変形脚２０ｃがＦＰＣ３０を介してアクチュエータ４０をロック方向に、つまり図５の反時計方向に回動付勢するように定められている。図４、図５のｄは、アクチュエータ４０にこのロック方向への回動付勢力を与えるための回動軸突起４４と押圧突起４２ｂとのオフセット量を示している。
【００１２】
上記構成の本コネクタは従って、ＦＰＣ３０をインシュレータ１０のコンタクト２０に接続する際には、図３、図４のようにアクチュエータ４０をアンロック位置に回動させた状態において、ＦＰＣ３０を、インシュレータ１０の接続補強壁１３とアクチュエータ４０のＦＰＣ押圧部４２の挿入ガイド面４２ａとの間の隙間（ＦＰＣ挿入空間４５）から、コンタクト２０の弾性変形脚２０ｃの下面に挿入する。この状態において、着力操作部４３を持ってアクチュエータ４０を同図において反時計方向に回動させ、ロック位置とすると、ＦＰＣ押圧部４２の押圧突起４２ｂがＦＰＣ３０を持ち上げ、押圧接触部２０ｄを介して弾性変形脚２０ｃを弾性変形させる。この弾性変形によって、ＦＰＣ３０の各ランドと各コンタクト２０の押圧接触部２０ｄとの接触圧力が得られる（図２、図５）。
【００１３】
図２、図５のロック状態では、弾性変形しているコンタクト２０の弾性変形脚２０ｃが、ＦＰＣ３０を介して、アクチュエータ４０をロック方向に回動付勢している。従って、アクチュエータ４０を一旦ロック位置に回動させてしまうと、アクチュエータ４０が容易にアンロック位置に回動することはない。勿論、ＦＰＣ３０をインシュレータ１０から離脱させるときには、アクチュエータ４０に一定以上の力を加えてアンロック方向に回動させればよい。
【００１４】
アクチュエータ４０の回動軸突起４４と押圧突起４２ｂ（ＦＰＣ３０が押圧突起４２ｂを押す位置）とのオフセット量ｄは、ｄ≧０であればよい。ｄ＝０であれば、少なくとも、アクチュエータ４０のロック位置において、アクチュエータ４０にアンロック方向の回動付勢力が加わることがない。
【００１５】
図示実施形態では、インシュレータ１０とアクチュエータ４０に、アクチュエータ４０のロック位置で互いに係合する係止凹凸１５と４６が形成されている。これらの凹凸は、より確実なロックを得るために設けることが好ましい。これらの凹凸あるいは回転軸穴１４と回動軸突起４４の凹凸の関係は、図示例とは逆にしてもよいことは勿論である。
【００１６】
【発明の効果】
以上のように本発明によれば、回動タイプのアクチュエータを有するＦＰＣ／ＦＦＣコネクタにおいて、ロック位置に回動させたアクチュエータが不用意にアンロック位置に回動することがない信頼性及び操作性に優れたＦＰＣ／ＦＦＣ用コネクタを得ることができる。また、低背化が図れる。
【図面の簡単な説明】
【図１】  本発明によるＦＰＣ／ＦＣＣコネクタの一実施形態を示す分解斜視図である。
【図２】  同組立状態においてアクチュエータを閉鎖位置に位置させたときの一部を切断した斜視図である。
【図３】同組立状態においてアクチュエータを開放位置に位置させたときの斜視図である。
【図４】  同組立状態においてアクチュエータを開放位置に位置させたときの一部を縦断面図である。
【図５】同組立状態においてアクチュエータを閉鎖位置に位置させたときの縦断面図である。
【図６】  アクチュエータ単体の斜視図である。
【符号の説明】
Ｂ  基板
Ｌ  ランド
１０  インシュレータ
１１  コンタクト収納溝
１１ａ  コンタクト圧入溝
１１ｂ  コンタクト変形溝
１２  回動支点壁
１３  接続補強壁
１４  回動軸穴
２０  コンタクト
２０ａ  半田付け脚
２０ｂ  圧入脚
２０ｃ  弾性変形脚
２０ｄ  押圧接触部（コンタクトのＦＰＣ／ＦＣＣとの接触位置）
３０  ＦＰＣ／ＦＣＣ
４０  アクチュエータ
４１  両端回転基部
４２  ＦＰＣ／ＦＣＣ押圧部
４２ａ  挿入ガイド面
４２ｂ  押圧突起
４３  着力操作部
４４  回動軸突起
４５  ＦＰＣ／ＦＣＣ挿入空間
【図１】
0004387031.tif 000002
【図２】
0004387031.tif 000003
【図３】
0004387031.tif 000004
【図４】
0004387031.tif 000005
【図５】
0004387031.tif 000006
【図６】
0004387031.tif 000007